(57)【要約】【課題】難視対策放送を受信して視聴している場合であっても、地上デジタル放送の受信が可能となったタイミングで速やかに地上デジタル放送へ移行させることができるテレビジョン受信装置の提供。【解決手段】難視対策放送を受信しているテレビジョン受信装置において、地上デジタル放送に対するチャンネルスキャンを行い（Ｓ２１）、新たに受信可能なチャンネルがあるか否かを判断する（Ｓ２２）。新たに受信可能なチャンネルがある場合（Ｓ２２：ＹＥＳ）、チャンネル情報を抽出し（Ｓ２３）、難視対策放送のチャンネルと地上デジタル放送のチャンネルとを対応付けてテーブルに記憶する（Ｓ２５）。難視対策放送のチャンネル選局時にテーブルを参照し、地上デジタル放送のチャンネルへ移行させるＯＳＤ表示を行うか、又は自動的に地上デジタル放送のチャンネルへ切替える処理を行う。【選択図】図３
2013207578.tif 000002
【特許請求の範囲】
【請求項１】
地上デジタルテレビジョン放送の難視対策として放送される衛星放送を識別するチャンネルを記憶してあり、該チャンネルにより識別される衛星放送を受信し、受信した衛星放送に基づく映像を表示するテレビジョン受信装置において、
前記地上デジタルテレビジョン放送を受信することが可能であるか否かを判断する手段と、
前記地上デジタルテレビジョン放送を受信することが可能であると判断した場合、前記地上デジタルテレビジョン放送を識別するチャンネルを特定する手段と、
特定したチャンネルと前記衛星放送を識別するチャンネルとを対応付けて記憶する記憶手段と、
該記憶手段に記憶されたチャンネル間の対応関係に基づき、衛星放送に代えて受信可能な地上デジタルテレビジョン放送に関する情報を出力する手段と
を備えることを特徴とするテレビジョン受信装置。
【請求項２】
地上デジタルテレビジョン放送の難視対策として放送される衛星放送を識別する複数のチャンネルを記憶してあり、該チャンネルにより識別される衛星放送を受信し、受信した衛星放送に基づく映像を表示するテレビジョン受信装置において、
地上デジタルテレビジョン放送を受信することが可能であるか否かを判断する手段と、
地上デジタルテレビジョン放送を受信することが可能であると判断した場合、前記地上デジタルテレビジョン放送を識別するチャンネルを特定する手段と、
特定した地上デジタルテレビジョン放送を識別するチャンネルと前記地上デジタルテレビジョン放送の難視対策として放送される衛星放送を識別するチャンネルとを対応付けて記憶する記憶手段と、
衛星放送を識別するチャンネルに対する選択を受付ける手段と、
選択されたチャンネルと対応付けて記憶されている地上デジタルテレビジョン放送のチャンネルの存否を、前記記憶手段を参照して判断する手段と、
選択されたチャンネルと対応付けて前記記憶手段に記憶されている地上デジタルテレビジョン放送のチャンネルが存在する場合、選択されたチャンネルにより識別される衛星放送に代えて、前記地上デジタルテレビジョン放送に基づく映像を表示する手段と
を備えることを特徴とするテレビジョン受信装置。
【請求項３】
地上デジタルテレビジョン放送を受信することが可能であると判断した場合、衛星放送を識別するチャンネルを選択するために必要な情報を削除する手段を備えることを特徴とする請求項２に記載のテレビジョン受信装置。
【請求項４】
所定の基準と比較することにより前記地上デジタルテレビジョン放送の受信状態の良否を判定する手段と、
前記地上デジタルテレビジョン放送の受信状態が良好でないと判定した場合、前記地上デジタルテレビジョン放送に代えて、前記衛星放送を受信する手段と
を備え、
受信した前記衛星放送に基づく映像を表示するようにしてあることを特徴とする請求項２に記載のテレビジョン受信装置。
【請求項５】
前記衛星放送は暗号化されており、
暗号化された衛星放送を復号するための鍵情報を記憶する手段と、
前記衛星放送を受信した場合、前記鍵情報を用いて前記衛星放送を復号する手段と、
地上デジタルテレビジョン放送を受信することが可能であると判断した場合、その旨を外部装置へ通知する手段と、
前記鍵情報を削除するために必要なデータが重畳された地上デジタル放送又は衛星放送を受信する手段と、
該手段により受信した地上デジタル放送又は衛星放送に重畳されているデータを抽出し、前記鍵情報を削除する手段と
を備えることを特徴とする請求項１又は請求項２に記載のテレビジョン受信装置。
【発明の詳細な説明】
【技術分野】
【０００１】
本発明は、地上デジタル放送及びＢＳデジタル放送に基づく映像を表示するテレビジョン受信装置に関する。
【背景技術】
【０００２】
国内では、地上デジタルテレビジョン放送（以下、地上デジタル放送という）への移行に伴い、アナログテレビジョン放送が終了したが、一部の地域では送信局、地形等の影響で、地上デジタル放送波が十分な品位で得られず、地上デジタル放送が受信できない問題がある。このような難視地域の世帯に対する対策として、ＢＳデジタルテレビジョン放送（以下、ＢＳデジタル放送という）を利用し、地上デジタル放送の同時放送を実施している。
【０００３】
指定地域の世帯には、このＢＳデジタル放送を受信可能とするために必要なデータを予め書き込んだＢ−ＣＡＳカード（B-CAS：Broadcasting Satellite Conditional Access Systems）を配布して視聴している。地上デジタル放送の難視を解消するためには、新たに中継局を設置するか、あるいはＣＡＴＶ網を設置する必要があり、いずれの方法でもインフラ整備として多額の費用が必要となる。一方でＢＳデジタル放送の利用による難視対策では、各世帯でＢＳ受信用のパラボラアンテナを設置するのみで良いという利点を有する。
【先行技術文献】
【特許文献】
【０００４】
【特許文献１】特開２０１０−２６８３９８号公報
【特許文献２】特開２０１１−７１７２４号公報
【発明の概要】
【発明が解決しようとする課題】
【０００５】
しかしながら、この難視対策としてＢＳデジタル放送を利用して送られている地上波デジタル放送は、いわゆるキー局（首都圏のテレビ局）の放送であり、難視地域をサービスエリアとするそれぞれの地方局の放送とは内容が異なる。そのため地域に密着した情報（CM、ニュース、天気予報等）を得ることが難しい。また、地上デジタル放送と画質や利用できるサービスに違いがあったり、一世帯で視聴できる受信機の数に制限があるなど、早期の難視解消が望まれている。
【０００６】
本発明は、斯かる事情に鑑みてなされたものであり、難視対策放送を受信して視聴している場合であっても、地上デジタル放送の受信が可能となったタイミングで速やかに地上デジタル放送へ移行させることができるテレビジョン受信装置を提供することを目的とする。
【課題を解決するための手段】
【０００７】
本発明に係るテレビジョン受信装置は、地上デジタルテレビジョン放送の難視対策として放送される衛星放送を識別するチャンネルを記憶してあり、該チャンネルにより識別される衛星放送を受信し、受信した衛星放送に基づく映像を表示するテレビジョン受信装置において、前記地上デジタルテレビジョン放送を受信することが可能であるか否かを判断する手段と、前記地上デジタルテレビジョン放送を受信することが可能であると判断した場合、前記地上デジタルテレビジョン放送を識別するチャンネルを特定する手段と、特定したチャンネルと前記衛星放送を識別するチャンネルとを対応付けて記憶する記憶手段と、該記憶手段に記憶されたチャンネル間の対応関係に基づき、衛星放送に代えて受信可能な地上デジタルテレビジョン放送に関する情報を出力する手段とを備えることを特徴とする。
【０００８】
本発明に係るテレビジョン受信装置は、地上デジタルテレビジョン放送の難視対策として放送される衛星放送を識別する複数のチャンネルを記憶してあり、該チャンネルにより識別される衛星放送を受信し、受信した衛星放送に基づく映像を表示するテレビジョン受信装置において、地上デジタルテレビジョン放送を受信することが可能であるか否かを判断する手段と、地上デジタルテレビジョン放送を受信することが可能であると判断した場合、前記地上デジタルテレビジョン放送を識別するチャンネルを特定する手段と、特定した地上デジタルテレビジョン放送を識別するチャンネルと前記地上デジタルテレビジョン放送の難視対策として放送される衛星放送を識別するチャンネルとを対応付けて記憶する記憶手段と、衛星放送を識別するチャンネルに対する選択を受付ける手段と、選択されたチャンネルと対応付けて記憶されている地上デジタルテレビジョン放送のチャンネルの存否を、前記記憶手段を参照して判断する手段と、選択されたチャンネルと対応付けて前記記憶手段に記憶されている地上デジタルテレビジョン放送のチャンネルが存在する場合、選択されたチャンネルにより識別される衛星放送に代えて、前記地上デジタルテレビジョン放送に基づく映像を表示する手段とを備えることを特徴とする。
【０００９】
本発明に係るテレビジョン受信装置は、地上デジタルテレビジョン放送を受信することが可能であると判断した場合、衛星放送を識別するチャンネルを選択するために必要な情報を削除する手段を備えることを特徴とする。
【００１０】
本発明に係るテレビジョン受信装置は、所定の基準と比較することにより前記地上デジタルテレビジョン放送の受信状態の良否を判定する手段と、前記地上デジタルテレビジョン放送の受信状態が良好でないと判定した場合、前記地上デジタルテレビジョン放送に代えて、前記衛星放送を受信する手段とを備え、受信した前記衛星放送に基づく映像を表示するようにしてあることを特徴とする。
【００１１】
本発明に係るテレビジョン受信装置は、前記衛星放送は暗号化されており、暗号化された衛星放送を復号するための鍵情報を記憶する手段と、前記衛星放送を受信した場合、前記鍵情報を用いて前記衛星放送を復号する手段と、地上デジタルテレビジョン放送を受信することが可能であると判断した場合、その旨を外部装置へ通知する手段と、前記鍵情報を削除するために必要なデータが重畳された地上デジタル放送又は衛星放送を受信する手段と、該手段により受信した地上デジタル放送又は衛星放送に重畳されているデータを抽出し、前記鍵情報を削除する手段とを備えることを特徴とする。
【００１２】
本発明では、難視対策として放送される衛星放送（難視対策放送）を受信している場合であって、地上デジタルテレビジョン放送を受信することが可能となったとき、当該地上デジタル放送のチャンネルと、この地上デジタル放送の難視対策として放送される衛星放送のチャンネルとを対応付けて記憶する。
【００１３】
地上デジタル放送のチャンネルと難視対策放送のチャンネルとの対応関係に基づき、難視対策放送に代えて受信可能な地上デジタル放送の情報を出力するので、地上デジタル放送の受信が可能となったタイミングで、その旨がユーザに報知される。
【００１４】
地上デジタル放送のチャンネルと難視対策放送のチャンネルとの対応関係に基づき、難視対策放送に代えて受信可能な地上デジタル放送のチャンネルへ自動的に切替えるので、地上デジタル放送の受信が可能となった際に、チャンネルの設定変更等の操作が不要となる。
【００１５】
また、本発明では、地上デジタル放送の受信が可能となった場合、難視対策放送を選択するために必要な情報が削除されるので、電子番組表等から不要な情報が削除されることとなり、操作性が向上する。
【００１６】
また、本発明では、地上デジタル放送の受信が可能となった後に、天候等の影響により受信状態が悪化した場合には、難視対策放送を受信して表示することができる。
【００１７】
また、本発明では、地上デジタル放送の受信が可能となった場合、難視対策放送を復号するための鍵情報が削除されるので、難視対策放送を受信すべきでない世帯に対し、視聴制限を実施することができる。
【発明の効果】
【００１８】
本発明によれば、地上デジタル放送に代えて難視対策放送を受信し、視聴している場合であっても、適宜チャンネルスキャンを行うことにより、地上デジタル放送の受信が可能となったタイミングを速やかに検出することが可能である。また、地上デジタル放送の受信が可能となった場合、ＯＳＤ画面等を出力してユーザへ報知することにより、難視対策放送のチャンネルと同系列にある地上デジタル放送のチャンネルへ誘導することができる。
【図面の簡単な説明】
【００１９】
【図１】本実施の形態に係るテレビジョン受信装置の内部構成を示すブロック図である。
【図２】難視対策用の衛星放送を受信する際に行う初期設定の処理手順を示すフローチャートである。
【図３】テレビジョン受信装置が実行する処理の手順を示すフローチャートである。
【図４】チャンネルテーブルの一例を示す模式図である。
【図５】選局時の動作を説明するフローチャートである。
【図６】ＯＳＤ画面の表示例を示す模式図である。
【図７】実施の形態２における選局時の動作を説明するフローチャートである。
【図８】実施の形態３におけるテレビジョン受信装置の動作を説明するフローチャートである。
【図９】実施の形態４に係るテレビジョン受信システムを示す模式図である。
【図１０】実施の形態４におけるテレビジョン受信装置の動作を説明するフローチャートである。
【図１１】実施の形態５における選局時の動作を説明するフローチャートである。
【発明を実施するための形態】
【００２０】
以下、本発明をその実施の形態を示す図面に基づいて具体的に説明する。
実施の形態１．
図１は本実施の形態に係るテレビジョン受信装置の内部構成を示すブロック図である。本実施の形態に係るテレビジョン受信装置１０は、地上デジタル放送及びＢＳデジタル放送（衛星放送）を受信し、受信した放送に基づく映像及び音声を出力する液晶テレビジョン受信装置、プラズマテレビジョン受信装置、有機ＥＬテレビジョン受信装置などである。
【００２１】
本実施の形態に係るテレビジョン受信装置１０は、地上デジタル放送チューナ１１（以下、地デジチューナ１１という）、ＢＳデジタル放送チューナ１２（以下、ＢＳチューナ１２という）、復号処理部１３、カードスロット１４、分離処理部１５、映像処理部１６、表示部１７、音声出力部１８、情報抽出部１９、制御部２０、記憶部２１、ＯＳＤ生成部２２、通信部２３、リモコン信号受信部２４、及び操作部２５を備える。
【００２２】
地デジチューナ１１は、地上デジタル放送を受信するためのアンテナ１に接続され、アンテナ１から出力される地上デジタル放送信号を取得する。地デジチューナ１１は、ユーザによって選局されたチャンネルの放送信号をＴＳデータ（TS : Transport Stream）に変換し、復号処理部１３へ出力する。
【００２３】
ＢＳチューナ１２は、ＢＳデジタル放送を受信するためのアンテナ２に接続され、アンテナ２から出力されるＢＳデジタル放送信号を取得する。ＢＳチューナ１２は、ユーザによって選局されたチャンネルの放送信号をＴＳデータに変換し、復号処理部１３へ出力する。
【００２４】
なお、地上デジタル放送及びＢＳデジタル放送に対するユーザの選局は、図に示していないリモートコントローラ（リモコン）を通じて行われる。リモコンは、ユーザによって選局されたチャンネルを示す情報を、赤外線信号などのリモート信号として外部へ送信する。リモコン信号受信部２４は、リモコンから送信されるリモート信号を受信し、受信したリモート信号をデコードして制御部２０へ出力する。制御部２０は、リモコン信号受信部２４から出力される信号を取得することにより、ユーザによって選局されたチャンネルを判別し、地デジチューナ１１又はＢＳチューナ１２に通知する。なお、リモコンに代えて、テレビジョン受信装置１０が備える操作部２５を通じて、ユーザの選局操作を受付ける構成であってもよい。
【００２５】
復号処理部１３は、地デジチューナ１１又はＢＳチューナ１２から入力されるＴＳデータの復号を行う。本実施の形態に係るテレビジョン受信装置１０は、限定受信システム（ＣＡＳ）が採用されており、Ｂ−ＣＡＳカード１４１を装着するためのカードスロット１４を備える。復号処理部１３は、Ｂ−ＣＡＳカード１４１に格納されている鍵情報（暗号鍵）を用いて、ＴＳデータの復号を行う。
【００２６】
復号処理部１３は、ＴＳデータを復号して得られる各種データのうち、ＭＰＥＧデータ（MPEG : Moving Picture Experts Group）を分離処理部１５へ出力すると共に、ＥＰＧ（Electronic Program Guide）、ＮＩＴ（Network Information Table）などを含んだ付加データを情報抽出部１９へ出力する。
【００２７】
分離処理部１５は、入力されたＭＰＥＧデータを、同期をとりながら映像データと音声データとに分離し、分離した映像データを映像処理部１６へ、音声データを音声出力部１８へ出力する。映像処理部１６は、入力された映像データに対して各種の画像処理を施して、表示部１７へ出力する。
表示部１７は、番組映像、電子番組表、その他の各種映像を表示する液晶ディスプレイ、プラズマディスプレイ、有機ＥＬディスプレイを備え、映像処理部１６から出力される映像データに基づき映像表示を行う。音声出力部１８は、入力された音声データに基づいて音声を再生する。
【００２８】
情報抽出部１９は、入力される付加データの中から、電子番組表データや番組情報データを抽出して、制御部２０へ出力する。
【００２９】
制御部２０は、ＣＰＵ（Central Processing Unit）、ＤＳＰ（Digital Signal Processor）などを備える。制御部２０は、テレビジョン受信装置１０の各部を制御し、記憶部２１に予め記憶されているプログラムに基づいて各種の処理を実行する。記憶部２１は、例えばフラッシュメモリにより構成され、テレビジョン受信装置１０の各部を制御するための各種プログラム及びデータを記憶すると共に、電子番組表データや番組情報データ等の外部から取得したデータ、制御部２０により生成されたデータ等を記憶する。
【００３０】
ＯＳＤ生成部２２は、制御部２０からの指示に従ってＯＳＤデータを生成し、生成したＯＳＤデータを映像処理部１６へ出力する。ＯＳＤ生成部２２が生成するＯＳＤデータは、分離処理部１５が出力する映像データに対して重畳されるものであってもよく、表示部１７に単体で表示されるものであってもよい。
【００３１】
通信部２３は、インターネットなどの通信ネットワークを介して外部装置と通信を行うためのインタフェースを有し、外部装置に対して各種の要求やデータを送信し、外部装置から送信される各種データを受信する。
【００３２】
操作部２５は、ユーザによる操作を受付けるためのインタフェースであり、各種スイッチ、ボタン等を備える。操作部２５にて受付ける操作は、チャンネルの選択操作、音量の変更操作、ＯＳＤを通じて受付ける各種選択操作などが含まれる。
なお、これらの操作は、リモコンから送信される信号をリモコン信号受信部２４にて受信することによっても受付けることが可能である。以下の説明においては、テレビジョン受信装置１０が受付ける操作は、リモコン信号受信部２４を通じて受付ける操作、又は操作部２５を通じて受付ける操作を表すものとする。
【００３３】
図２は難視対策用の衛星放送を受信する際に行う初期設定の処理手順を示すフローチャートである。図２に示す処理手順は、ユーザがテレビジョン受信装置１０を設置し、難視対策用のＢＳデジタル放送（以下、難視対策放送という）の受信を開始する際に実行される手順を示すものである。難視対策放送の受信を開始する際、制御部２０は地上波視聴可能フラグをオフに設定する（ステップＳ１１）。なお、この地上波視聴可能フラグは記憶部２１に記憶されるフラグである。制御部２０は、ＯＳＤ生成部２２を制御して、難視対策放送を受信するか否かを確認するための確認画面を生成させ、表示部１７に表示させる。
【００３４】
制御部２０は、ＯＳＤによる確認画面を通じて、難視対策放送を受信するとの選択を受付けたか否かを判断する（ステップＳ１２）。難視対策放送を受信するとの選択を受付けた場合（Ｓ１２：ＹＥＳ）、制御部２０は、難視対策放送の視聴フラグをオンに設定し（ステップＳ１３）、難視対策放送の視聴情報を登録する（ステップＳ１４）。難視対策放送の視聴フラグは、Ｂ−ＣＡＳによって難視対策放送の視聴制限が解除されている世帯であるか否かを示すフラグである。この視聴フラグ及び視聴情報は記憶部２１に記憶される。視聴情報には、難視対策放送のチャンネル情報、受信した難視対策放送を復号するために必要な鍵情報等が含まれる。
【００３５】
難視対策放送を受信しないとの選択を受付けた場合（Ｓ１２：ＮＯ）、制御部２０は、視聴フラグをオフに設定し（ステップＳ１５）、記憶部２１に難視対策放送の視聴情報が既に登録されている場合には、それを削除する（ステップＳ１６）。
【００３６】
次に、初期設定を終えた後にテレビジョン受信装置１０が実行する処理について説明する。図３はテレビジョン受信装置１０が実行する処理の手順を示すフローチャートである。制御部２０は、地上デジタル放送についてのチャンネルスキャンを行い（ステップＳ２１）、新規に受信可能なチャンネルがあるか否かを判断する（ステップＳ２２）。このチャンネルスキャンは、例えば、テレビジョン受信装置１０の電源オフ時、又は定期的なタイミングにて実行される。新規に受信可能なチャンネルが存在しないと判断した場合（Ｓ２２：ＮＯ）、本フローチャートによる処理を終了する。
【００３７】
新規に受信可能なチャンネルがあると判断した場合（Ｓ２２：ＹＥＳ）、制御部２０は、情報抽出部１９が抽出するＮＩＴ等の情報を用いて、地上デジタル放送のチャンネル情報を抽出する（ステップＳ２３）。
【００３８】
次いで、制御部２０は、難視対策放送の視聴フラグがオンであるか否かを判断する（ステップＳ２４）。視聴フラグがオフの場合（Ｓ２４：ＮＯ）、本フローチャートによる処理を終了する。一方、視聴フラグがオンである場合（Ｓ２４：ＹＥＳ）、制御部２０は、難視対策放送のチャンネル情報とステップＳ２３で抽出した地上デジタル放送のチャンネル情報とを対応付けてテーブルに記憶する（ステップＳ２５）。このテーブルは記憶部２１に設けられるものであり、以下ではチャンネルテーブルと称する。次いで、制御部２０は地上波視聴可能フラグをオンに設定し（ステップＳ２６）、本フローチャートによる処理を終了する。
【００３９】
図４はチャンネルテーブルの一例を示す模式図である。上述したように、テレビジョン受信装置１０にて難視対策放送を受信することが設定されている場合、適宜のタイミングで地上デジタル放送に対するチャンネルスキャンを行い、受信可能な地上デジタル放送のチャンネル情報と難視対策放送のチャンネル情報とを対応付けてチャンネルテーブルに記憶する。図４に示した例では、難視対策放送の各チャンネルである、ＢＳ２９１（ＮＨＫ東京総合），ＢＳ２９２（ＮＨＫ東京Ｅテレ），ＢＳ２９４（日本テレビ），ＢＳ２９５（テレビ朝日）…に対し、大阪地域の系列局が放送する地上デジタル放送のチャンネルがスキャンされ、それぞれＵ２４ｃｈ（ＮＨＫ大阪総合），Ｕ１３ｃｈ（ＮＨＫ大阪Ｅテレ），Ｕ１４ｃｈ（読売テレビ），Ｕ１５ｃｈ（朝日放送）…の各チャンネルが対応付けられてチャンネルテーブルに登録されている様子を示している。難視対策放送は、いわゆるキー局が行うため、全国でチャンネル番号は同じであるが、地上デジタル放送については、受信できるチャンネルが地域によって異なるため、チャンネルテーブルの「地上デジタル放送ＣＨ」の欄に登録されるチャンネルはテレビジョン受信装置１０の設置場所によって変化する。
【００４０】
図５は選局時の動作を説明するフローチャートである。制御部２０は、難視対策放送の視聴フラグ及び地上波視聴可能フラグを参照し、それぞれのフラグがオンになっているか否かを判断する（ステップＳ３１，Ｓ３２）。少なくとも一方のフラグがオフになっている場合（Ｓ３１：ＮＯ及び／又はＳ３２：ＮＯ）、本フローチャートによる処理を終了する。
【００４１】
両方のフラグがオンの場合（Ｓ３１及びＳ３２：ＹＥＳ）、制御部２０は、難視対策放送のチャンネルに対する選局操作を受付けたか否かを判断する（ステップＳ３３）。難視対策放送のチャンネルに対する選局操作を受付けていない場合には（Ｓ３３：ＮＯ）、選局操作を受付けるまで待機する。
【００４２】
選局操作を受付けた場合（Ｓ３３：ＹＥＳ）、制御部２０は、選局されたチャンネルと対応付けて記憶されている地上デジタル放送のチャンネルをチャンネルテーブルから読出し、同系列の地上デジタル放送へ誘導する画面を表示部１７に表示する（ステップＳ３４）。同系列の地上デジタル放送へ誘導する表示は、当該地上デジタル放送へジャンプ選局するアイコンを配置したＯＳＤ画面をＯＳＤ生成部２２に生成させ、表示部１７に表示させることによって行う。
【００４３】
図６はＯＳＤ画面の表示例を示す模式図である。図６に示した例では、地上デジタル放送の受信が可能であるため、同系列のチャンネルへジャンプ選局するアイコンを配置した画面が表示されている。アイコンが押下操作された場合（リモコンによる選択操作を受付けた場合）、テレビジョン受信装置１０は、当該チャンネルへの切替えを行う。
【００４４】
ＯＳＤ画面にてアイコンが押下操作された場合、テレビジョン受信装置１０は、ジャンプ選局したチャンネルにより識別される地上デジタル放送の放送信号を地デジチューナ１１にてＴＳデータに変換し、復号処理部１３による復号処理、分離処理部１５による映像及び音声の分離等を行い、表示部１７にて映像を表示し、音声出力部１８より音声出力を行う。
【００４５】
以上のように、実施の形態１では、地上デジタル放送に代えて難視対策放送を受信し、視聴している場合であっても、適宜チャンネルスキャンを行うことにより、地上デジタル放送の受信が可能となったタイミングを速やかに検出することが可能である。また、地上デジタル放送の受信が可能となった場合、ＯＳＤ画面の表示により、難視対策放送のチャンネルと同系列にある地上デジタル放送のチャンネルへ誘導するため、ユーザはＯＳＤ画面に従って操作を行うことにより、対応する地上デジタル放送の視聴が可能となる。
【００４６】
実施の形態２．
実施の形態１では、地上デジタル放送の受信が可能となった場合には、難視対策放送のチャンネルに対する選局時にＯＳＤ画面を表示することによって、同系列の地上デジタル放送へ誘導する構成としたが、自動的に同系列の地上デジタル放送へ切替える構成としてもよい。
実施の形態２では、テレビジョン受信装置１０の内部構成、地上デジタル放送に対するチャンネルスキャンの構成が実施の形態１と全く同様であるため、その説明を省略することとする。
【００４７】
図７は実施の形態２における選局時の動作を説明するフローチャートである。制御部２０は、難視対策放送の視聴フラグ及び地上波視聴可能フラグを参照し、それぞれのフラグがオンになっているか否かを判断する（ステップＳ４１，Ｓ４２）。少なくとも一方のフラグがオフになっている場合（Ｓ４１：ＮＯ及び／又はＳ４２：ＮＯ）、本フローチャートによる処理を終了する。
【００４８】
両方のフラグがオンの場合（Ｓ４１及びＳ４２：ＹＥＳ）、制御部２０は、難視対策放送のチャンネルに対する選局操作を受付けたか否かを判断する（ステップＳ４３）。難視対策放送のチャンネルに対する選局操作を受付けていない場合には（Ｓ４３：ＮＯ）、選局操作を受付けるまで待機する。
【００４９】
選局操作を受付けた場合（Ｓ４３：ＹＥＳ）、制御部２０は、選局されたチャンネルと対応付けて記憶されている地上デジタル放送のチャンネルをチャンネルテーブルから読出し、選局操作を受付けた難視対策放送のチャンネルに代えて、同系列の地上デジタル放送のチャンネルを選局する（ステップＳ４４）。テレビジョン受信装置１０は、ステップＳ４４で選局したチャンネルにより識別される地上デジタル放送の放送信号を地デジチューナ１１にてＴＳデータに変換し、復号処理部１３による復号処理、分離処理部１５による映像及び音声の分離等を行い、表示部１７にて映像を表示し、音声出力部１８より音声出力を行う。
【００５０】
以上のように、実施の形態２では、地上デジタル放送の受信が可能となった場合、難視対策放送のチャンネルと同系列にある地上デジタル放送のチャンネルへ自動的に切替える構成としている。このため、難視対策放送及び地上デジタル放送の別をユーザに意識させることなく、視聴可能となったタイミングで地上デジタル放送へ誘導させることができる。
【００５１】
実施の形態３．
実施の形態１では、地上デジタル放送の受信が可能となった場合には、難視対策放送のチャンネルに対する選局時にＯＳＤ画面を表示することによって、同系列の地上デジタル放送へ誘導する構成としたが、地上デジタル放送の受信が可能となった場合に難視対策放送の視聴情報を削除することにより、難視対策放送のチャンネルを選局対象から除外する構成としてもよい。
実施の形態３では、テレビジョン受信装置１０の内部構成、地上デジタル放送に対するチャンネルスキャンの構成が実施の形態１と全く同様であるため、その説明を省略することとする。
【００５２】
図８は実施の形態３におけるテレビジョン受信装置１０の動作を説明するフローチャートである。制御部２０は、難視対策放送の視聴フラグ及び地上波視聴可能フラグを参照し、それぞれのフラグがオンになっているか否かを判断する（ステップＳ５１，Ｓ５２）。少なくとも一方のフラグがオフになっている場合（Ｓ５１：ＮＯ及び／又はＳ５２：ＮＯ）、本フローチャートによる処理を終了する。
【００５３】
両方のフラグがオンの場合（Ｓ５１及びＳ５２：ＹＥＳ）、制御部２０は、記憶部２１に記憶されている難視対策放送の視聴情報を削除し（ステップＳ５３）、難視対策放送の視聴フラグをオフに設定する（ステップＳ５４）。次いで、制御部２０は、地上波視聴可能フラグをオフに設定する（ステップＳ５５）。
【００５４】
以上のように、実施の形態３では、地上デジタル放送の受信が可能となった場合、難視対策放送の視聴情報を削除する構成としており、難視対策放送のチャンネルは選局対象から除外されるので、電子番組表が見やすくなると共に、選局時の操作性が向上する。
なお、チャンネルテーブルには、難視対策放送のチャンネル毎に受信可能となった地上デジタル放送のチャンネルが登録されているので、このチャンネルテーブルに基づいて難視対策放送の視聴情報を削除するか否かをチャンネル毎に判別する構成であってもよい。
【００５５】
実施の形態４．
実施の形態３では、地上デジタル放送の受信が可能となった場合に難視対策放送の視聴情報を削除する構成としたが、難視対策放送に施されているスクランブルを解除するための鍵情報を併せて削除する構成としてもよい。
【００５６】
図９は実施の形態４に係るテレビジョン受信システムを示す模式図である。実施の形態４に係るテレビジョン受信システムは、テレビジョン受信装置１０及びサーバ装置２３０を含み、両者がインターネットのような通信ネットワークＮに接続されているものとする。ここで、サーバ装置２３０は、Ｂ−ＣＡＳカードによる視聴制限等を行っている管理団体によって設置されるサーバ装置である。
【００５７】
実施の形態４では、テレビジョン受信装置１０にて地上デジタル放送の受信が可能となった場合、テレビジョン受信装置１０は、難視対策放送の視聴が不要となった旨を通信ネットワークＮ経由でサーバ装置２３０に通知する。この通知をサーバ装置２３０にて受信した場合、前記管理団体は、難視対策放送に施されているスクランブルを解除するために必要な鍵情報をユーザのＢ−ＣＡＳカード１４１から削除させるために、個別情報（ＥＭＭ：Entitlement Management Message）を重畳した放送波を放送する。
【００５８】
図１０は実施の形態４におけるテレビジョン受信装置１０の動作を説明するフローチャートである。制御部２０は、難視対策放送の視聴フラグ及び地上波視聴可能フラグを参照し、それぞれのフラグがオンになっているか否かを判断する（ステップＳ６１，Ｓ６２）。少なくとも一方のフラグがオフになっている場合（Ｓ６１：ＮＯ及び／又はＳ６２：ＮＯ）、本フローチャートによる処理を終了する。
【００５９】
両方のフラグがオンの場合（Ｓ６１及びＳ６２：ＹＥＳ）、制御部２０は、記憶部２１に記憶されている難視対策放送の視聴情報を削除し（ステップＳ６３）、難視対策放送の視聴フラグをオフに設定する（ステップＳ６４）。また、制御部２０は、地上波視聴可能フラグをオフに設定する（ステップＳ６５）。
次いで、制御部２０は、通信部２３を制御し、難視対策放送の視聴が不要になった旨を通信ネットワークＮ経由でサーバ装置２３０に通知する（ステップＳ６６）。
【００６０】
管理団体が設置するサーバ装置２３０は、テレビジョン受信装置１０からの通知を通信ネットワークＮ経由で受信する。この後、管理団体は、ユーザのＢ−ＣＡＳカード１４１から鍵情報を削除させるために、個別情報（ＥＭＭ）を重畳した放送波を放送する。
【００６１】
テレビジョン受信装置１０は、地デジチューナ１１又はＢＳチューナ１２を通じて、個別情報を受信したか否かを判断する（ステップＳ６７）。個別情報を受信していない場合には（Ｓ６７：ＮＯ）、個別情報を受信するまで待機する。
【００６２】
個別情報を受信したと判断した場合（Ｓ６７：ＹＥＳ）、制御部２０は、その個別情報がカードスロット１４に装着されているＢ−ＣＡＳカード１４１の番号と一致するか否かを判断する（ステップＳ６８）。カードスロット１４に装着されているＢ−ＣＡＳカード１４１の番号と一致しない場合に（Ｓ６８：ＮＯ）、処理をステップＳ６７へ戻す。
【００６３】
カードスロット１４に装着されているＢ−ＣＡＳカード１４１の番号と一致する個別情報を受信した場合（Ｓ６８：ＹＥＳ）、制御部２０は、該当データのフィルタリングを行い（ステップＳ６９）、Ｂ−ＣＡＳカード１４１へのカード書込みデータを作成する（ステップＳ７０）。制御部２０は、作成したカード書込みデータをＢ−ＣＡＳカード１４１へ送信する（ステップＳ７１）。
前記カード書込みデータを受信したＢ−ＣＡＳカード１４１内では、難視対策放送に施されているスクランブルを解除するために必要な鍵情報が削除される。これにより、地上デジタル放送の視聴が可能となったユーザに対し、難視対策放送の視聴制限を再開させることができる。
【００６４】
以上のように、実施の形態４では、地上デジタル放送の受信が可能となった場合、難視対策放送の視聴情報を削除すると共に、難視対策放送に施されているスクランブルを解除するための鍵情報を削除する構成としているので、地上デジタル放送の視聴が可能となったユーザに対し、難視対策放送の視聴制限を行うことが可能となる。
【００６５】
実施の形態５．
実施の形態２では、地上デジタル放送の受信が可能となった場合には、難視対策放送のチャンネルに対する選局時に、自動的に同系列の地上デジタル放送へ切替える構成としたが、その後の地上デジタル放送の受信状態が良好でない場合、難視対策放送を再度選局する構成としてもよい。
実施の形態５では、テレビジョン受信装置１０の内部構成、地上デジタル放送に対するチャンネルスキャンの構成が実施の形態１と全く同様であるため、その説明を省略することとする。
【００６６】
図１１は実施の形態５における選局時の動作を説明するフローチャートである。制御部２０は、難視対策放送の視聴フラグ及び地上波視聴可能フラグを参照し、それぞれのフラグがオンになっているか否かを判断する（ステップＳ８１，Ｓ８２）。少なくとも一方のフラグがオフになっている場合（Ｓ８１：ＮＯ及び／又はＳ８２：ＮＯ）、本フローチャートによる処理を終了する。
【００６７】
両方のフラグがオンの場合（Ｓ８１及びＳ８２：ＹＥＳ）、制御部２０は、難視対策放送のチャンネルに対する選局操作を受付けたか否かを判断する（ステップＳ８３）。難視対策放送のチャンネルに対する選局操作を受付けていない場合には（Ｓ８３：ＮＯ）、選局操作を受付けるまで待機する。
【００６８】
選局操作を受付けた場合（Ｓ８３：ＹＥＳ）、制御部２０は、選局されたチャンネルと対応付けて記憶されている地上デジタル放送のチャンネルをチャンネルテーブルから読出し、選局操作を受付けた難視対策放送のチャンネルに代えて、同系列の地上デジタル放送のチャンネルを選局する（ステップＳ８４）。テレビジョン受信装置１０は、ステップＳ８４で選局したチャンネルにより識別される地上デジタル放送の放送信号を地デジチューナ１１にてＴＳデータに変換し、復号処理部１３による復号処理、分離処理部１５による映像及び音声の分離等を行い、表示部１７にて映像を表示し、音声出力部１８より音声出力を行う。
【００６９】
次いで、制御部２０は、地上デジタル放送の受信状態が良好であるか否かを判断する（ステップＳ８５）。制御部２０は、例えば、選局中の地上デジタル放送の受信レベルと予め定めた基準レベルとを比較することによって、受信状態が良好であるか否かを判断することができる。
【００７０】
選局中の地上デジタル放送の受信レベルが基準レベル以上であり、受信状態が良好であると判断できる場合には（Ｓ８５：ＹＥＳ）、制御部２０は、本フローチャートによる処理を終了する。
【００７１】
一方、選局中の地上デジタル放送の受信レベルが基準レベル未満であり、受信状態が良好でないと判断した場合には（Ｓ８５：ＮＯ）、制御部２０は、選局中のチャンネルと対応付けて記憶されている難視対策放送のチャンネルをチャンネルテーブルから読出し、選局中の地上デジタル放送のチャンネルに代えて、同系列の難視対策放送のチャンネルを選局する（ステップＳ８６）。テレビジョン受信装置１０は、ステップＳ８６で選局したチャンネルにより識別される難視対策放送の放送信号をＢＳチューナ１２にてＴＳデータに変換し、復号処理部１３による復号処理、分離処理部１５による映像及び音声の分離等を行い、表示部１７にて映像を表示し、音声出力部１８より音声出力を行う。
【００７２】
以上のように、実施の形態５では、地上デジタル放送の受信が可能となった場合、難視対策放送のチャンネルと同系列にある地上デジタル放送のチャンネルへ自動的に切替え、天候等の要因により地上デジタル放送の受信レベルが低下した状況下では、再度、難視対策放送への切替えを行う。
なお、実施の形態５では、地上デジタル放送の受信状態に応じて難視対策放送のチャンネルへ切替える構成としたが、難視対策放送についても受信状態を検出し、難視対策放送の受信状態が良好でない場合には、再度、対応する同系列の地上デジタル放送のチャンネルを選局する構成としてもよい。これにより、地上デジタル放送及び難視対策放送の受信状態に応じて柔軟に選局することができ、常に良好な状態での視聴環境をユーザに提供することが可能となる。
【符号の説明】
【００７３】
１０  テレビジョン受信装置
１１  地上デジタル放送チューナ
１２  ＢＳデジタル放送チューナ
１３  復号処理部
１４  カードスロット
１５  分離処理部
１６  映像処理部
１７  表示部
１８  音声出力部
１９  情報抽出部
２０  制御部
２１  記憶部
２２  ＯＳＤ生成部
２３  通信部
２４  リモコン信号受信部
２５  操作部
【図１】
2013207578.tif 000003
【図２】
2013207578.tif 000004
【図３】
2013207578.tif 000005
【図４】
2013207578.tif 000006
【図５】
2013207578.tif 000007
【図６】
2013207578.tif 000008
【図７】
2013207578.tif 000009
【図８】
2013207578.tif 000010
【図９】
2013207578.tif 000011
【図１０】
2013207578.tif 000012
【図１１】
2013207578.tif 000013